(57)【要約】【課題】ユーザ所望の辞書コンテンツを容易に検索対象として設定可能とする。【解決手段】入力画面を表示しているときに、１または複数の検索対象コンテンツを指定する２つ以上の選択肢であって、少なくとも１つの選択肢は複数の検索対象コンテンツを指定する選択肢の中から１つの選択を受け付ける設定管理部（２５）と、選択された選択肢が指定する検索対象コンテンツから入力情報と対応する出力情報を検索する検索部（２２）と、を備えている。【選択図】図１
2016134153.tif 000002
【特許請求の範囲】
【請求項１】
複数の検索対象コンテンツから、入力された入力情報に対応する出力情報を検索する情報検索装置であって、
上記入力情報を入力する入力画面を表示部に表示しているときに、上記の複数の検索対象コンテンツのうちから予め選択された１または複数の検索対象コンテンツを指定する２つ以上の選択肢であって、少なくとも１つの選択肢は複数の検索対象コンテンツを指定する選択肢の中から１つの選択を受け付ける選択受付部と
上記選択受付部が受け付けた選択肢が指定する検索対象コンテンツから上記入力情報と対応する出力情報を検索する検索部と、
を備えたことを特徴とする情報検索装置。
【請求項２】
選択された選択肢が指定する検索対象コンテンツを設定するための設定表示を該選択肢が選択されたときに上記入力画面に表示させる表示制御部を備えたことを特徴とする請求項１に記載の情報検索装置。
【請求項３】
上記選択肢の１つは、全ての検索対象コンテンツを指定するものであることを特徴とする請求項１または２に記載の情報検索装置。
【請求項４】
上記請求項１〜３の何れか１項に記載の情報検索装置を備えた電子辞書。
【請求項５】
複数の検索対象コンテンツから、入力された入力情報に対応する出力情報を検索する情報検索装置の制御方法であって、
上記入力情報を入力する入力画面を表示部に表示しているときに、上記の複数の検索対象コンテンツのうちから予め選択された１または複数の検索対象コンテンツを指定する２つ以上の選択肢であって、少なくとも１つの選択肢は複数の検索対象コンテンツを指定する選択肢の中から１つの選択を受け付ける選択受付ステップと、
上記選択受付ステップで受け付けた選択肢が指定する検索対象コンテンツから上記入力情報と対応する出力情報を検索する検索ステップと、
を含むことを特徴とする情報検索装置の制御方法。
【発明の詳細な説明】
【技術分野】
【０００１】
本発明は、文字または文字列を用いて情報を検索する情報検索装置、および情報検索装置の制御方法に関する。
【背景技術】
【０００２】
近年、電子辞書に格納されている辞書コンテンツの種類および数が増大している。これに伴い、検索結果も多数表示されることが多くなっている。この結果、ユーザが、所望の検索結果に到達するまでに相当の時間を要することになり、ユーザにストレスを与えることも増えている。
【０００３】
そこで、特許文献１では、電子辞書に格納されている辞書コンテンツのうち、所望の辞書コンテンツのみを検索対象として検索を行う電子辞書が開示されている。
【先行技術文献】
【特許文献】
【０００４】
【特許文献１】特開２００５−３８２１３号公報（２００５年２月１０日公開）
【発明の概要】
【発明が解決しようとする課題】
【０００５】
しかしながら、上述の従来技術は予め検索対象とする辞書コンテンツを設定しておかなければならないという問題がある。
【０００６】
電子辞書を用いる場合、ユーザはまず検索処理を実行しようとする。よって、検索処理を実行しようとしたときに検索対象が所望の辞書コンテンツとなっていない場合に、一旦、設定処理を行うために検索処理を実行可能な状態から別の状態に移行しなければならないのは、ユーザにとって手間であり不便である。
【０００７】
本発明は上記問題に鑑みてなされたものであり、その目的は、ユーザの所望の辞書コンテンツを容易に検索対象として設定可能な情報検索装置等を実現することにある。
【課題を解決するための手段】
【０００８】
上記の課題を解決するために、本発明の一態様に係る情報検索装置は、複数の検索対象コンテンツから、入力された入力情報に対応する出力情報を検索する情報検索装置であって、上記入力情報を入力する入力画面を表示部に表示しているときに、上記の複数の検索対象コンテンツのうちから予め選択された１または複数の検索対象コンテンツを指定する２つ以上の選択肢であって、少なくとも１つの選択肢は複数の検索対象コンテンツを指定する選択肢の中から１つの選択を受け付ける選択受付部と、上記選択受付部で受け付けた選択肢が指定する検索対象コンテンツから上記入力情報と対応する出力情報を検索する検索部と、を備えている。
【０００９】
また、本発明の一態様に係る情報検索装置の制御方法は、複数の検索対象コンテンツから、入力された入力情報に対応する出力情報を検索する情報検索装置の制御方法であって、上記入力情報を入力する入力画面を表示部に表示しているときに、上記の複数の検索対象コンテンツのうちから予め選択された１または複数の検索対象コンテンツを指定する２つ以上の選択肢であって、少なくとも１つの選択肢は複数の検索対象コンテンツを指定する選択肢の中から１つの選択を受け付ける選択受付ステップと、上記選択受付ステップで受け付けた選択肢が指定する検索対象コンテンツから上記入力情報と対応する出力情報を検索する検索ステップと、を含む。
【発明の効果】
【００１０】
本発明の一態様によれば、予め検索対象コンテンツを指定しておく必要がなくなるので、ユーザに対し、容易に検索対象コンテンツを指定させることができるという効果を奏する。また、選択肢が指定する検索対象コンテンツをユーザ所望のものとしておけば、ユーザの所望の検索対象コンテンツを容易に検索対象として設定することができるという効果を奏する。
【図面の簡単な説明】
【００１１】
【図１】本発明の実施形態１に係る電子辞書の要部構成を示すブロック図である。
【図２】上記電子辞書の外観を示す図である。
【図３】上記電子辞書に格納されているユーザ辞書テーブルを示す図である。
【図４】上記電子辞書における処理の流れを示すフローチャートである。
【図５】（ａ）〜（ｃ）は、上記電子辞書における表示画面例を示す図である。
【図６】（ａ）、（ｂ）は、上記電子辞書における検索対象辞書を設定するときの表示画面例を示す図である。
【図７】本発明の実施形態２に係る電子辞書に格納されているユーザ辞書テーブルを示す図である。
【図８】（ａ）、（ｂ）は、上記電子辞書における表示画面例を示す図である。
【発明を実施するための形態】
【００１２】
〔実施形態１〕
以下、本発明の実施形態について詳細に説明する。本実施形態に係る電子辞書（情報検索装置）１は、複数の辞書（検索対象コンテンツ）を格納した辞書データベース３１を備え、入力された文字または文字列（入力情報）と対応する情報（出力情報）を複数の辞書から検索し、検索結果を表示するものである。また、本実施形態に係る電子辞書１は、格納している複数の辞書のうち所望の辞書のセット（辞書群、ユーザ辞書）を検索対象とし、入力された文字または文字列と対応する情報をユーザ辞書から検索し、検索結果を表示するものである。さらに、本実施形態に係る電子辞書１は、検索対象を格納されている辞書全てとするか、またはユーザ辞書とするかを検索文字入力画面において選択可能に表示する。これにより、ユーザに対し、検索対象となる辞書を格納されている辞書全体とするか、またはユーザ辞書をするかを検索文字入力時に選択させることができ、所望の辞書を容易に検索対象として設定させることができる。
【００１３】
また、例えば、電子辞書は、高校生・大学生等がよく利用するものであるが、学校によって推奨する辞書が異なることがある。この場合、同じ英語辞書であってもＡ高校の生徒はＡ辞典を利用し、Ｂ高校の生徒はＢ辞典を利用するということが起こる。また、塾等に通っており、塾等の推奨辞書も異なる場合、場面において検索対象辞書を変更する必要が生じる（学校ではＡ辞典を利用し、塾ではＣ辞典を利用する）。そして、本実施形態に係る電子辞書１によれば、検索対象となる辞書を容易に設定できるので、上記の場合でも容易に対応することができる。
【００１４】
〔電子辞書１の外観〕
まず、図２を参照して、電子辞書１の外観について説明する。図２は、電子辞書１の外観を示す図である。図２に示すように、電子辞書１は、操作受付部１２および表示部１３を含む。操作受付部１２は、電子辞書１に対する操作を受け付ける物理キーであり、電源キー、ファンクションキー、文字キー、決定キー、カーソルキーが含まれている。
【００１５】
また、表示部１３は、検索入力画面や検索結果等の各種情報を表示するものである。この表示部１３としては、情報の表示が可能な表示装置であればどのような装置によって実現されてもよいが、具体的な例としては、液晶ディスプレイ、有機ＥＬ（Electro Luminescence）ディスプレイ、プラズマディスプレイが挙げられる。また、表示部１３は、タッチパネルを含み、表示部１３に対する接触または接近によって電子辞書１に対する操作を受け付けるものであってもよい。
【００１６】
なお、本実施形態では、操作受付部１２と表示部１３と分けた構成としたが、スマートフォンやタブレットのように表示部をタッチパネル形式とし、表示と操作受付を表示部のみで実行する構成であってもよい。
【００１７】
〔電子辞書１の要部構成〕
次に、図１を参照して電子辞書１の要部構成について説明する。図１は、電子辞書１の要部構成を示すブロック図である。図１に示すように、電子辞書１は、制御部１０、記憶部１１、操作受付部１２、および表示部１３を含む。また、制御部１０は設定部２１、検索部２２、および表示制御部２３を含む。
【００１８】
記憶部１１は、情報を記憶するものであり、フラッシュメモリ、ＲＯＭ（Read Only Memory）などの不揮発性のデバイスと、ＲＡＭ（Random Access Memory）などの揮発性のデバイスとによって構成される。不揮発性のデバイスに記憶される内容としては、各種プログラム、各種動作設定値、各種データなどが挙げられる。揮発性のデバイスに記憶される内容としては、作業用ファイル、テンポラリファイルなどが挙げられる。本実施形態では、記憶部１１は、辞書データベース３１を含み、辞書データベース３１にはユーザ辞書テーブル３２が含まれる。
【００１９】
ユーザ辞書テーブル３２は、電子辞書１に格納されている辞書のうち、検索対象となるユーザ所望の辞書（群）を設定（指定）するためのテーブルである。図３に、ユーザ辞書テーブル３２の例を示す。図３に示すように、ユーザ辞書テーブル３２は、格納されている辞書とユーザ辞書として設定されているかどうかとを対応付けている。図３に示す例では、Ａ辞典、Ｂ辞典、Ｅ辞典がユーザ辞書として登録され、Ｃ辞典、Ｄ辞典、Ｆ辞典がユーザ辞書として登録されていない。よって、検索対象としてユーザ辞書が選択された場合、Ａ辞典、Ｂ辞典、Ｅ辞典が検索対象の辞書群となる。
【００２０】
操作受付部１２は、ユーザからの操作を受け付け、その内容を設定部２１または検索部２２に通知する。より詳細には、操作受付部１２は、検索処理を実行するための検索画面（入力画面）の表示の指示を受け付けると、その旨を示す検索開始指示を検索部２２に通知する。また、操作受付部１２は、検索画面において、検索対象コンテンツを選択するための選択ボタン１４３が選択（押下）されたことを受け付けると、その旨を示すユーザ辞書選択指示を検索部２２に通知する。また、操作受付部１２は、検索画面において、文字入力を受け付けると、当該文字を示す情報を検索部２２に通知する。また、操作受付部１２は、検索対象設定ボタン（設定表示）１４４が選択（押下）されたことを受け付けると、その旨を示す設定指示を設定部２１に通知する。また、操作受付部１２は、ユーザ辞書テーブルの設定を受け付けると、その内容を示すユーザ辞書テーブル設定指示を設定部２１へ通知する。
【００２１】
なお、操作受付部１２におけるユーザ操作の受け付けは、上述したように、物理キーを押下されることによって実行されてもよいし、表示部１３に含まれるタッチパネルに対する接触・近接により実行されてもよい。
【００２２】
制御部１０は、電子辞書１における各種処理を実行するものであり、上述したように、設定部２１、検索部２２、および表示制御部２３を含む。
【００２３】
設定部２１は、操作受付部１２から設定指示を取得し、その旨を示す設定指示情報を表示制御部２３に通知する。また、設定部２１は、操作受付部１２においてユーザ辞書テーブルのユーザ辞書設定指示を受け付けると、その設定内容でユーザ辞書テーブル３２を設定・更新する。
【００２４】
検索部２２は、検索処理等を実行するものであり、設定管理部（選択受付部）２５を含む。そして、検索部２２は、文字入力を取得すると、文字に対応する情報を辞書データベース３１から検索し、検索結果を示す結果情報を表示制御部２３に通知する。また、検索部２２は、操作受付部１２から検索開始指示を取得し、その旨を示す検索指示情報を表示制御部２３に通知する。
【００２５】
設定管理部２５は、操作受付部１２からユーザ辞書選択指示を取得すると、現状の設定状態を確認する。そして、現状の設定状態がユーザ辞書選択状態でない場合、ユーザ辞書選択指示を取得した旨を示す選択指示情報を表示制御部２３に通知する。また、設定管理部２５は、操作受付部１２が、設定状態を「標準（全辞書を検索対象とする）」とする指示を取得すると、現状の設定状態を確認し、現状の設定状態が「標準」でない場合、設定状態を標準とする旨を示す情報を表示制御部２３に通知する。
【００２６】
表示制御部２３は、検索部２２から検索指示情報を受け取ると、検索画面を表示部１３に表示させる。検索画面とは検索対象となる文字入力を受け付ける画面である。また、表示制御部２３は、検索部２２から選択指示情報を受け取ると、表示部１３に設定ボタン画面を表示させる。設定ボタン画面とは、ユーザ辞書の設定を可能とする設定ボタンを表示する画面である。また、表示制御部２３は、検索部２２から結果情報を受け取ると、表示部１３に結果画面を表示させる。結果画面とは、検索結果を示す画面である。また、表示制御部２３は、設定部２１が設定指示情報を受け取ると、表示部１３に、ユーザ辞書を設定するための設定画面を表示させる。
【００２７】
表示部１３は、表示制御部２３の指示に基づき各種情報を表示する。
【００２８】
なお、本実施形態では、「標準」のときに全辞書を検索対象とし、「ユーザ辞書」のときに設定された辞書を検索対象とする構成としたが、これに限られるものではない。「標準」のときに一部の辞書を検索対象とし、「ユーザ辞書」のときに全辞書を検索対象とするものであってもよい。
【００２９】
また、上記実施形態では、文字または文字列を入力して検索処理を実行する構成としたが、これに限られず、音声や画像を入力して検索処理を実行する構成であってもよい。さらに、検索結果の提示も文字の表示に限られず、音声による出力等であってもよい。
【００３０】
〔電子辞書１における処理の流れ〕
次に、図４を参照して電子辞書１における処理の流れを説明する。図４は、電子辞書１の処理の流れを示すフローチャートである。図４に示すように、電子辞書１は、検索処理を開始することを受け付けると（Ｓ１）、表示制御部２３は表示部１３に検索画面を表示させる（Ｓ２）。その後、検索対象コンテンツの変更指示を受け付けると（Ｓ３（選択受付ステップ）でＹＥＳ）、表示制御部２３は、変更後の検索画面を表示する（Ｓ２）。次に、検索画面において検索対象コンテンツが“標準”のまま（Ｓ４でＹＥＳ）、文字入力を受け付けると（Ｓ９でＹＥＳ）、検索部２２は入力された文字を用いて検索処理を実行する（Ｓ１０）。
【００３１】
一方、検索対象コンテンツとして“選択”が選択されると（Ｓ４でＮＯ）、表示制御部２３は検索対象設定ボタンを表示部１３に表示する（Ｓ５）。そして、検索対象設定ボタンが押下されると（Ｓ６でＹＥＳ）、設定部２１は、ユーザの指示に基づき、検索対象となる辞書（ユーザ辞書）を設定する処理を実行し（Ｓ７）、ステップＳ６に戻る。ステップＳ６で検索対象ボタンが押下されることなく（Ｓ５でＮＯ）、文字入力を受け付けると（Ｓ８でＹＥＳ）、検索部２２は入力された文字を用いて検索処理を実行する（Ｓ１０、検索ステップ）。
【００３２】
そして、検索処理実行後、表示制御部２３は表示部１３に検索結果を表示させる（Ｓ１１）。以上が、電子辞書１における処理の流れである。
【００３３】
なお、上述した実施形態では、文字入力後、入力された文字を用いて検索処理を実行する流れとして記載しているが、文字が入力される毎に、検索処理を実行する構成であってもよい。例えば、「あ」と入力された時点で、「あ」を用いて検索処理を実行し、次に「し」が入力されると、「あし」を用いて検索処理を実行し、次に「か」が入力されると、「あしか」を用いて検索処理を実行する構成であってもよい。
【００３４】
〔表示画面例〕
次に、表示部１３に表示される表示画面例について図５、６を参照して説明する。図５は、検索処理実行時に表示部１３に表示される表示画面例を示す図である。図５（ａ）に示すように、検索処理の開始を受け付けると、表示制御部２３は、表示部１３に図５（ａ）に示すよう検索画面（入力画面）４０１を表示させる（ステップＳ２に対応）。検索画面４０１では、文字入力領域１４１、標準ボタン（選択肢）１４２、選択ボタン（選択肢）１４３が表示されている。標準ボタン１４２とは、選択された場合に、検索対象となる辞書が電子辞書１に格納されている全ての辞書となるモードである。また、選択ボタン１４３とは、選択された場合に、検索対象となる辞書が、ユーザがあらかじめ設定した辞書となるモードである。
【００３５】
検索画面４０１において、文字入力領域１４１に文字が入力されると、入力文字に対応する検索結果を示す結果画面４０２（図５（ｂ））が表示される。結果画面４０２では入力文字「あしか」に対応する検索結果を表示する例を示している。
【００３６】
また、選択ボタン１４３が選択されると、表示制御部２３は表示部１３に検索対象設定ボタン（設定表示）１４４を表示する（図５（ｃ）の画面例４０３）。検索対象設定ボタン１４４は、当該ボタンが選択（押下）されると、検索対象とする辞書を設定するための処理へ進むものである。画面例４０３の例では、検索対象設定ボタン１４４は、選択ボタン１４３の下方に表示されている。検索対象設定ボタン１４４の表示位置は、これに限られるものではなく、選択ボタン１４３の近傍であってもよいし、電子辞書１を把持したときにユーザの指が届きやすい位置に表示してもよい。
【００３７】
次に、検索対象設定ボタン１４４が選択（押下）されたときの検索対象設定処理における画面例を図６に示す。図６（ａ）の画面例４０４は、検索対象となる辞書の種類を選択するための画面例である。また、図６（ｂ）の画面例４０５は、画面例４０４において“国語系”が選択されたときの詳細を設定するための画面例である。
【００３８】
以上のように、本実施形態では、検索画面４０１に文字入力領域１４１のみではなく、標準ボタン１４２および選択ボタン１４３が表示されている。これにより、検索画面４０１が表示されている状態、すなわち、ユーザがこれから検索を実行しようとしている状態において、検索対象となる辞書を電子辞書１に格納されている全辞書とするのか、またはユーザが予め設定した辞書群（ユーザ辞書）とするのか設定することができる。これにより、検索対象辞書を全辞書とするか、またはユーザ辞書とするかを検索前に設定しておかなくても、検索対象とする辞書を設定することができる。よって、ユーザに対し、所望の辞書を容易に検索対象として設定することができる。
【００３９】
また、選択ボタン１４３を選択した場合（ユーザ辞書を選択した場合）にのみ、検索対象設定ボタン１４４が表示されるので、ユーザ辞書の設定・更新が必要となる場合のみ設定・更新を実行する処理に進むことができる。これにより、ユーザに設定処理に進む方法を容易に認識させることができる。
【００４０】
なお、本実施形態では、検索画面４０１表示時に、標準ボタン１４２および選択ボタン１４３を表示することにより検索対象となる辞書を設定できる構成としたがこれに限られるものではない。ボタン表示ではなく、機能を割り当てられた物理キーを押下されることにより、検索対象となる辞書を設定できる構成としてもよい。すなわち、検索画面４０１表示時に、標準ボタン１４２または選択ボタン１４３と同様の機能を有する物理キーが押下されたときに、標準ボタン１４２または選択ボタン１４３が選択されたときと同様の処理を実行する構成であってもよい。
【００４１】
〔実施形態２〕
本発明の他の実施形態について、図７、図８に基づいて説明すれば、以下のとおりである。なお、説明の便宜上、上記実施形態１にて説明した部材と同じ機能を有する部材については、同じ符号を付記し、その説明を省略する。
【００４２】
本実施形態において、上記実施形態１と異なるのは、ユーザ辞書を複数設定できる点である。本実施形態では、ユーザ辞書を複数設定するため、上記実施形態１のユーザ辞書テーブル３２に代えて、図７に示すユーザ辞書テーブル３２’を含んでいる。ユーザ辞書テーブル３２’は、電子辞書１に格納されている全辞書それぞれと、複数のユーザ辞書それぞれとの対応付けを示す。ユーザ辞書テーブル３２’に示す例では、例えば、Ａ辞典は、ユーザ辞書ａ、ユーザ辞書ｂに含まれ、ユーザ辞書ｃには含まれない。また、Ｂ辞典は、ユーザ辞書ａに含まれ、ユーザ辞書ｂ、ユーザ辞書ｃには含まれない。以下、同様である。
【００４３】
次に、本実施形態における表示画面例を図８に示す。図８（ａ）の検索画面（入力画面）８０１は、上記実施形態の１の検索画面４０１と異なり、標準ボタン２４２に加え、ユーザ辞書を選択するためのボタンが複数（選択ａボタン（選択肢）２４３、選択ｂボタン（選択肢）２４４、選択ｃ（選択肢）ボタン２４５）設けられている。これにより複数のユーザ辞書のうち、所望のものを選択することができる。また、本実施形態では、検索対象設定ボタン（設定表示）２４６は１つだけ設けられている。これは、選択ａボタン２４３、選択ｂボタン２４４、選択ｃボタン２４５の何れかが選択されたときに、当該選択されたユーザ辞書の設定・更新処理に進むためのボタンとなる。
【００４４】
なお、検索対象設定ボタン２４６を１つではなく、図５（ｂ）の検索画面（入力画面）８０２に示すように、ユーザ辞書ごとに、検索対象設定ａボタン（設定表示）２４６ａ、検索対象設定ｂボタン（設定表示）２４６ｂ、検索対象設定ｃボタン（設定表示）２４６ｃ、を設ける構成であってもよい。
【００４５】
以上のように、本実施形態によれば、複数のユーザ辞書を設定できるので、必要に応じて適切なユーザ辞書を選択することができる。
【００４６】
〔ソフトウェアによる実現例〕
電子辞書１の制御ブロック（特に制御部１０（設定部２１、検索部２２、表示制御部２３））は、集積回路（ＩＣチップ）等に形成された論理回路（ハードウェア）によって実現してもよいし、ＣＰＵ（Central Processing Unit）を用いてソフトウェアによって実現してもよい。
【００４７】
後者の場合、電子辞書１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４８】
〔付記事項〕
上述した実施形態では、ユーザ辞書を選択するための選択ボタンを表示するのみ構成であったが、選択ボタンが選択されたときに対応するユーザ辞書の構成内容を示す表示を行ってもよい。例えば、或るユーザ辞書にａ辞典、ｂ辞典、ｃ辞典が含まれる場合に、当該ユーザ辞書が選択された場合、上記３つの辞典名（ａ辞典、ｂ辞典、ｃ辞典）や辞典名の略称（ａ、ｂ、ｃ等）を表示してもよい。
【００４９】
〔まとめ〕
本発明の態様１に係る情報検索装置（電子辞書１）は、複数の検索対象コンテンツから、入力された入力情報に対応する出力情報を検索する情報検索装置であって、上記入力情報を入力する入力画面（検索画面４０１）を表示部１３に表示しているときに、上記の複数の検索対象コンテンツのうちから予め選択された１または複数の検索対象コンテンツを指定する２つ以上の選択肢であって、少なくとも１つの選択肢は複数の検索対象コンテンツを指定する選択肢の中から１つの選択を受け付ける選択受付部（設定管理部２５）と、上記選択受付部が受け付けた選択肢が指定する検索対象コンテンツから上記入力情報と対応する出力情報を検索する検索部２２と、を備えている。
【００５０】
上記の構成によれば、入力情報の入力画面を表示しているときに、検索対象コンテンツを指定するための選択肢の選択を受け付けることができるので、入力情報を入力するときに検索対象コンテンツを指定することができる。これにより、予め検索対象コンテンツを指定しておく必要がなくなるので、ユーザに対し、容易に検索対象コンテンツを指定させることができる。また、選択肢が指定する検索対象コンテンツをユーザ所望のものとしておけば、ユーザの所望の検索対象コンテンツを容易に検索対象として設定することができる。
【００５１】
本発明の態様２に係る情報検索装置は、上記態様１において、選択された選択肢が指定する検索対象コンテンツを設定するための設定表示を該選択肢が選択されたときに上記入力画面に表示させる表示制御部２３を備えたものであってもよい。
【００５２】
上記の構成によれば、選択肢が指定する検索対象コンテンツを設定するための設定表示を、該選択肢が選択されたときに表示する。これにより、設定対象となる選択肢が選択されたときのみ設定表示が表示されるので、ユーザに対し、設定処理の対象となる選択肢を容易に認識させることができる。
【００５３】
本発明の態様３に係る情報検索装置は、上記態様１または２において、上記選択肢の１つは、検索対象コンテンツを指定するものであってもよい。
【００５４】
上記の構成によれば、全ての検索対象コンテンツを用いて検索を実行することができる。
【００５５】
本発明の態様４に係る電子辞書は、上記態様１〜３の何れかに記載の情報検索装置を備えている。上記の構成によれば、上記態様１〜３と同様の効果を奏する。
【００５６】
本発明の態様５に係る情報検索装置の制御方法は、複数の検索対象コンテンツから、入力された入力情報に対応する出力情報を検索する情報検索装置の制御方法であって、上記入力情報を入力する入力画面を表示部に表示しているときに、上記の複数の検索対象コンテンツのうちから予め選択された１または複数の検索対象コンテンツを指定する２つ以上の選択肢であって、少なくとも１つの選択肢は複数の検索対象コンテンツを指定する選択肢の中から１つの選択を受け付ける選択受付ステップ（Ｓ３）と、上記選択受付ステップで受け付けた選択肢が指定する検索対象コンテンツから上記入力情報と対応する出力情報を検索する検索ステップ（Ｓ１０）と、を含む。
【００５７】
上記の構成によれば、上記態様１と同様の効果を奏する。
【００５８】
本発明の各態様に係る情報検索装置は、コンピュータによって実現してもよく、この場合には、コンピュータを上記情報検索装置が備える各部（ソフトウェア要素）として動作させることにより上記情報検索装置をコンピュータにて実現させる情報検索装置の制御プログラム、およびそれを記録したコンピュータ読み取り可能な記録媒体も、本発明の範疇に入る。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６０】
本発明は、複数の辞書を格納した電子辞書等に利用することができる。
【符号の説明】
【００６１】
１  電子辞書（情報検索装置）
１０  制御部
１１  記憶部
１２  操作受付部
１３  表示部
２１  設定部
２２  検索部
２３  表示制御部
２５  設定管理部（選択受付部）
３１  辞書データベース
３２  ユーザ辞書テーブル
１４２  標準ボタン（選択肢）
１４３  選択ボタン（選択肢）
１４４  検索対象設定ボタン（設定表示）
２４２  標準ボタン（選択肢）
２４３  選択ａボタン（選択肢）
２４４  選択ｂボタン（選択肢）
２４５  選択ｃボタン（選択肢）
２４６（ａ、ｂ、ｃ）  検索対象設定ボタン（設定表示）
【図１】
2016134153.tif 000003
【図２】
2016134153.tif 000004
【図３】
2016134153.tif 000005
【図４】
2016134153.tif 000006
【図５】
2016134153.tif 000007
【図６】
2016134153.tif 000008
【図７】
2016134153.tif 000009
【図８】
2016134153.tif 000010